(57)【要約】【課題】アンチパニック状態とする設定の切り換えを簡単に確実に行うことができるようにしたアンチパニック式自動施錠錠を提供することである。【解決手段】錠ケース１０内に切換えロッド７０を設け、その切換えロッド７０によって一対のアンチパニック設定用スライダ６０ａ、６０ｂを個別にスライド自在に支持する。切換えロッド７０を回転し、カム機構８０により一対のアンチパニック設定用スライダ６０ａ、６０ｂの一方をスライドし、そのスライダに支持された第３揺動アーム５４をトルク伝達経路に位置させて、室内側把手５の操作でのみロックアーム３６を施解錠操作できるようにする。【選択図】図４
2015036471.tif 000002
【特許請求の範囲】
【請求項１】
錠ケースのフロントプレートに形成されたラッチ挿入孔から頭部が出没自在とされたラッチと、
前記錠ケース内に組み込まれて独立して回動可能に支持された同軸上配置の室内側把手用内駆動カムおよび外側把手用外駆動カムと、
前記内駆動カムの回転により、そのカムの回転中心を揺動中心にして揺動する内アームを有し、その内アームの揺動により前記ラッチを没入させる内後退動手段および前記外駆動カムの回転により、そのカムの回転中心を揺動中心にして揺動する外アームを有し、その外アームの揺動によって前記ラッチを没入させる外後退動手段と、
前記錠ケース内において揺動自在とされ、その揺動中心からフロントプレートに向けて延びる一端延出部の先端が前記ラッチの頭部背面に対向する施錠位置と前記頭部背面から上方に退避した解錠位置との間で揺動可能とされ、前記施錠位置でラッチの没入を阻止するロックアームと、
前記ロックアームを施錠位置に向けて付勢する弾性部材と、
前記内アームおよび前記外アームのラッチ没入方向への揺動運動を前記ロックアームの解錠方向への揺動運動に変換する内運動変換機構および外運動変換機構と、
を有してなり、
前記内運動変換機構および外運動変換機構のそれぞれが、内アームおよび外アームのそれぞれのアームの揺動に連動して順次に揺動する複数の揺動アームを有し、最終段の揺動アームの揺動によって前記ロックアームを解錠方向へ揺動させるようになっており、
前記最終段の揺動アームのそれぞれが前記フロントプレートの内面と交差する方向に向けてスライド可能に支持された一対のアンチパニック設定用スライダのそれぞれに支持されてトルク伝達経路から抜き差し自在とされ、
前記フロントプレートに形成されたロッド挿入孔に頭部が臨む回転可能な切換えロッドを設け、その切換えロッドの回転によって最終段の揺動アームがトルク伝達経路上に配置されるトルク伝達位置まで前記一対のスライダを個別にスライドさせるカム機構を設け、かつ、スライダを弾性部材によって最終段の揺動アームがトルク伝達経路から離反する方向に向けて付勢したアンチパニック式自動施錠錠。
【請求項２】
前記カム機構が、前記切換えロッドの外周面にカム突起を設け、前記一対のスライダの互いに重なり合う衝合面のそれぞれに形成されたロッド挿入孔の開口端部に前記カム突起が挿入される円形凹部を設け、その円形凹部の軸方向端面における上部に円形凹部の深さを一定とする低段側平坦面と、その低段側平坦面の端部に連なって円形凹部の深さを次第に浅くする傾斜面と、その傾斜面の端部に高段側平坦面とを設けた構成からなる請求項１に記載のアンチパニック式自動施錠錠。
【請求項３】
前記ロックアームを解錠位置に保持し、ソレノイドに対する通電によりロックアームの保持を解除するアーム保持手段を設けた請求項１又は２に記載のアンチパニック式自動施錠錠。
【発明の詳細な説明】
【技術分野】
【０００１】
この発明は、例えば、集合住宅やオフィスの共用部の扉や非常口の扉等に取り付けられるアンチパニック式電気錠に関する。
【背景技術】
【０００２】
この種のアンチパニック式自動施錠錠においては、扉が閉じられると、施錠状態に保持され、室内側の把手の操作でのみラッチを没入させることができる解錠状態（アンチパニック状態）に保持されるようになっている。
【０００３】
また、アンチパニック式自動施錠錠として電気式のアンチパニック式電気錠が知られている。この電気錠においては、扉が閉じられると、制御装置からの制御信号に基づき内部に収容されたソレノイドが作動して施錠状態に保持され、室内側の把手の操作でのみラッチを没入させることができる解錠状態（アンチパニック状態）に保持されるようになっている。
【０００４】
ところで、扉には、左開きと右開きの２種類があるため、アンチパニック式自動施錠錠においては、室内側把手により動作する施解錠手段と、室外側把手の操作により動作する施解錠手段の２種類の施解錠手段が設けられており、扉が左右いずれの側から開くかにより、２種類の施解錠手段を選択的に切り換えて、室内側把手に連動する一方の施解錠手段を解錠動作が可能なアンチパニック状態に設定とすることが行われている。
【０００５】
ここで、特許文献１に記載されたアンチパニック式電気錠においては、錠ケースのフロントプレートに２つのねじ孔を設け、扉が左右いずれの側から開くかにより、その２つのねじ孔に押え具と称せられるビスを選択的にねじ込むことにより一方の施解錠手段を解錠動作可能なアンチパニック状態に設定している。
【先行技術文献】
【特許文献】
【０００６】
【特許文献１】特開平８−１２０９８４号公報
【発明の概要】
【発明が解決しようとする課題】
【０００７】
ところで、上記特許文献１に記載されたアンチパニック式電気錠においては、２種類の施解錠手段を選択的に切り換えてアンチパニック状態とする設定がビスのねじ込み位置の変更によるものであるため、その変更に際し、ビスを一端取り外したのち、そのビスを他方のねじ孔にねじ込む必要があり、設定の切り換えに非常に手間がかかるという不都合がある。
【０００８】
この発明の課題は、アンチパニック状態とする設定の切り換えを簡単に確実に行うことができるようにしたアンチパニック式自動施錠錠を提供することである。
【課題を解決するための手段】
【０００９】
上記の課題を解決するために、この発明においては、錠ケースのフロントプレートに形成されたラッチ挿入孔から頭部が出没自在とされたラッチと、前記錠ケース内に組み込まれて独立して回動可能に支持された同軸上配置の室内側把手用内駆動カムおよび外側把手用外駆動カムと、前記内駆動カムの回転により、そのカムの回転中心を揺動中心にして揺動する内アームを有し、その内アームの揺動により前記ラッチを没入させる内後退動手段および前記外駆動カムの回転により、そのカムの回転中心を揺動中心にして揺動する外アームを有し、その外アームの揺動によって前記ラッチを没入させる外後退動手段と、前記錠ケース内において揺動自在とされ、その揺動中心からフロントプレートに向けて延びる一端延出部の先端が前記ラッチの頭部背面に対向する施錠位置と前記頭部背面から上方に退避した解錠位置との間で揺動可能とされ、前記施錠位置でラッチの没入を阻止するロックアームと、前記ロックアームを施錠位置に向けて付勢する弾性部材と、
前記内アームおよび前記外アームのラッチ没入方向への揺動運動を前記ロックアームの解錠方向への揺動運動に変換する内運動変換機構および外運動変換機構とを有してなり、前記内運動変換機構および外運動変換機構のそれぞれが、内アームおよび外アームのそれぞれのアームの揺動に連動して順次に揺動する複数の揺動アームを有し、最終段の揺動アームの揺動によって前記ロックアームを解錠方向へ揺動させるようになっており、前記最終段の揺動アームのそれぞれが前記フロントプレートの内面と交差する方向に向けてスライド可能に支持された一対のアンチパニック設定用スライダのそれぞれに支持されてトルク伝達経路から抜き差し自在とされ、前記フロントプレートに形成されたロッド挿入孔に頭部が臨む回転可能な切換えロッドを設け、その切換えロッドの回転によって最終段の揺動アームがトルク伝達経路上に配置されるトルク伝達位置まで前記一対のスライダを個別にスライドさせるカム機構を設け、かつ、スライダを弾性部材によって最終段の揺動アームがトルク伝達経路から離反する方向に向けて付勢した構成を採用したのである。
【００１０】
上記の構成からなるアンチパニック式自動施錠錠を扉に取り付けた状態において、扉を開放し、切換えロッドの頭部が外部に露出する状態で、その頭部の操作により、切換えロッドを一方向に回転すると、一対のアンチパニック設定用スライダの一方が弾性部材の弾性に抗してフロントプレートから離反する設定位置に向けて移動する。その移動により、スライダに支持された最終段の揺動アームがトルク伝達経路に配置され、室内側把手により動作する内運動変換機構と室外側把手の操作により動作する外運動変換機構のいずれか一方が解錠可能なアンチパニック状態に設定される。
【００１１】
ここで、切換えロッドの一方向への回転によって室内側把手により動作する内運動変換機構をアンチパニック状態に設定した状態で、扉を閉鎖すると、ロックアームが施錠位置に向けて揺動してラッチの後退動を阻止する施錠状態となる。
【００１２】
このとき、外運動変換機構における最終段の揺動アームはトルク伝達経路から退避された状態にあるため、室外側把手を操作してもラッチは後退せず扉は施錠状態に保持される。
【００１３】
一方、内運動変換機構における最終段の揺動アームはトルク伝達経路上に配置された状態にあるため、室内側把手を操作すると、内駆動カムの回転により内アームが揺動し、複数の揺動アームが順次揺動して、最終段の揺動アームの揺動によりロックアームが解錠方向に揺動し、ラッチが後退動して扉が開放する。
【００１４】
ここで、ロックアームを解錠位置に保持し、ソレノイドに対する通電によりロックアームの保持を解除するアーム保持手段を設け、扉の閉鎖時、制御装置からの制御信号によりソレノイドに通電されるようにすると、弾性部材の弾性力により、ロックアームが施錠位置に向けて揺動してラッチの後退動を阻止する施錠状態となるため、アンチパニック式電気錠を得ることができる。
【００１５】
この発明に係るアンチパニック式自動施錠錠において、カム機構として、切換えロッドの外周面にカム突起を設け、前記一対のスライダの互いに重なり合う衝合面のそれぞれに形成されたロッド挿入孔の開口端部に前記カム突起が挿入される円形凹部を設け、その円形凹部の軸方向端面における上部に円形凹部の深さを一定とする低段側平坦面と、その低段側平坦面の端部に連なって円形凹部の深さを次第に浅くする傾斜面と、その傾斜面の端部に高段側平坦面とを設けた構成からなるものを採用することができる。
【発明の効果】
【００１６】
この発明においては、上記のように、切換えロッドを回転させる簡単な操作によって室内側把手により動作してラッチを没入させる内運動変換機構と室外側把手により動作してラッチを没入させる外運動変換機構を選択的に切り換えてアンチパニック状態に設定することができると共に、設定の切り換えを行う一対のスライダのそれぞれがカム機構により設定位置に移動し、弾性部材により設定解除位置に戻されるため、設定の切り換えを確実に行わせることができる。
【図面の簡単な説明】
【００１７】
【図１】この発明に係るアンチパニック式自動施錠錠としてのアンチパニック式電気錠を示す縦断面図
【図２】図１の一部切欠左側面図
【図３】図１のIII−III線に沿った断面図
【図４】図１のIV−IV線に沿った断面図
【図５】図１のV−V線に沿った断面図
【図６】アンチパニック切換え操作部の分解斜視図
【図７】ロックアームおよび第２揺動アームを示す分解斜視図
【図８】アーム保持手段によるラッチの施錠状態を示す正面図
【図９】サムターンの操作によるラッチの解錠状態を示す正面図
【図１０】内運動変換機構のアンチパニック状態を示す正面図
【図１１】内運動変換機構の解錠状態を示す正面図
【図１２】ラッチの没入状態を示す正面図
【図１３】図１１のXIII-XIII線に沿った断面図
【発明を実施するための形態】
【００１８】
以下、この発明の実施の形態を図面に基づいて説明する。図は、この発明に係るアンチパニック式自動施錠錠としてのアンチパニック式電気錠を示す。図１に示すように、躯体に固定された扉枠１の内側開口部を開閉自在とする扉２の戸先側に錠ケース１０が取り付けられている。錠ケース１０は扁平な角形をなし、その一側部にはフロントプレート１１が設けられ、そのフロントプレート１１が扉２の戸先側の側面に衝合され、その上下端部が扉２にねじ込まれるビス１２の締め付けによって扉２に固定されている。
【００１９】
フロントプレート１１の外側面はフロントカバー１３がねじ止めされ、そのフロントカバー１３とフロントプレート１１にラッチ挿入孔１４が設けられている。一方、扉枠１の縦枠１ａにはラッチ挿入孔１４に対応してラッチ係合孔３が設けられている。
【００２０】
錠ケース１０内にはラッチ１５が設けられている。図４に示すように、ラッチ１５は、頭部１６と、その頭部１６に一端部が一体化されたラッチ軸１７とからなり、上記頭部１６がラッチ挿入孔１４に対して出没自在とされ、ラッチ軸１７が錠ケース１０の対向側板１０ａ間に設けられた支持片１８によって軸方向にスライド自在に支持されている。
【００２１】
図１および図５に示すように、錠ケース１０内の下部における戸尻側には内駆動カム２０および外駆動カム２１が組み込まれている。内駆動カム２０および外駆動カム２１は同軸上の配置とされて独立して回動可能な支持とされている。
【００２２】
内駆動カム２０および外駆動カム２１には、その回転中心軸上に角孔２２、２３が形成され、内駆動カム２０に形成された角孔２２に扉２の室内側に設けられた揺動可能な室内側把手５の角軸６が嵌合されている。一方、外駆動カム２１の角孔２３には、扉２の室外側に設けられた揺動可能な室外側把手７の角軸８が嵌合されており、室内側把手５の揺動操作により内駆動カム２０が回動し、室外側把手７の揺動操作によって外駆動カム２１が回動するようになっている。
【００２３】
内駆動カム２０および外駆動カム２１は、回転中心部に円形のボス部２５を有し、内駆動カム２０のボス部２５によって内アーム２６が揺動自在に支持されている。一方、外駆動カム２１によって外アーム２７が揺動自在に支持されている。
【００２４】
内アーム２６は、ピン２８を有し、そのピン２８は内駆動カム２０の一方向への回動時に、その内駆動カム２０に形成されたカム突部２０ａで押圧され、その押圧によって内アーム２６が内駆動カム２０と同方向に揺動するようになっている。
【００２５】
一方、外アーム２７は、外駆動カム２１の一方向への回動時に、その外駆動カム２１と同方向に揺動するようになっているが、外駆動カム２１の回転によって外アーム２７を揺動させる機構については、内アーム２６と同様であるため、図示省略している。
【００２６】
内アーム２６および外アーム２７は、セクタギヤ２９を外周に有し、そのセクタギヤ２９は従動ギヤ３０と噛合し、その従動ギヤ３０が回転すると、その従動ギヤ３０に連結されたばね受け３０ａが後退動してコイルばね３０ｂが収縮し、そのコイルばね３０ｂの復元弾性によって内アーム２６および外アーム２７のそれぞれが独立して待機位置まで戻されるようになっている。
【００２７】
内アーム２６は、戸尻側に向く一方向への揺動によってラッチ１５を没入させる内後退動手段Ａ１を形成し、一方、外アーム２７は、戸尻側に向く一方向への揺動によってラッチ１５を没入させる外後退動手段Ａ２を形成する。
【００２８】
ここで、外後退動手段Ａ２については、内後退動手段Ａ１と同一の構成であるため、内後退動手段Ａ１を以下に説明し、外後退動手段Ａ２については説明を省略する。
【００２９】
図１に示すように、内後退動手段Ａ１は、２枚の板体により形成され、両端部に上向き折曲げ片３２ａ、３２ｂが設けられたコの字形のラッチガイド３１をフロントプレート１１に対して移動自在に支持し、そのラッチガイド３１の両端の上向き折曲げ片３２ａ、３２ｂでラッチ１５のラッチ軸１７をスライド自在に支持し、戸先側の上向き折曲げ片３２ａと支持片１８の対向部間および戸尻側の上向き折曲げ片３２ｂとラッチ軸１７の他端部に設けられたばね受け３３の対向部間のそれぞれにコイルばね３４を組み込んで、ラッチ１５を突出方向に付勢すると共に、ラッチガイド３１をラッチ１５の頭部１６に向けて付勢し、室内側把手５の操作による内アーム２６の一方向への揺動により、その内アーム２６の揺動側の端部でラッチガイド３１の戸尻側の上向き折曲げ片３２ｂを押圧して、ラッチ１５を没入させるようにしている。
【００３０】
なお、外後退動手段Ａ２については、室外側把手７の操作による外アーム２７の一方向への揺動により、その外アーム２７の揺動側の端部でラッチガイド３１の戸尻側の上向き折曲げ片３２ｂを押圧して、ラッチ１５を没入させるようにしている。
【００３１】
ここで、ラッチガイド３１の戸先側の上向き折曲げ片３２ａの端部には、ラッチ１５の頭部１６の背面に重なり合う係合片３５が設けられている。
【００３２】
図１に示すように、ラッチ１５におけるラッチ軸１７の上側方にはロックアーム３６が設けられている。ロックアーム３６は、錠ケース１０の対向側板１０ａによって両端部が支持された第１固定軸３７を中心にして揺動自在に支持されている。
【００３３】
図８に示すように、ロックアーム３６は、揺動中心からフロントプレート１１に向けて延びる第１延出部３６ａと、揺動中心から斜め上方に延びる第２延出部３６ｂと、その第２延出部３６ｂの側部から戸尻側に張り出すレバー片３６ｃとを有し、上記第２延出部３６ｂには第１固定軸３７を中心とする弧状孔３８が形成され、その弧状孔３８に挿入されたガイドピン３９が錠ケース１０の側板１０ａで支持され、その上記弧状孔３８の両端がガイドピン３９に当接する範囲においてロックアーム３６が揺動自在とされている。
【００３４】
ここで、弧状孔３８の一端がガイドピン３９に当接して停止する位置がロックアーム３６の施錠位置とされ、その施錠位置で第１延出部３６ａの先端が頭部１６の背面と対向してラッチ１５の没入を阻止するようになっている。
【００３５】
また、弧状孔３８の他端がガイドピン３９に当接して停止する位置がロックアーム３６の解錠位置とされ、その解錠位置で第１延出部３６ａの先端が、図９に示すように、頭部１６の背面から上方に退避してラッチ１５の没入を許容するようになっており、第１固定軸３７に支持された弾性部材としてのキックばね４０はロックアーム３６を施錠位置に向けて付勢している。
【００３６】
ロックアーム３６は、図１に示すアーム保持手段４１によって解錠位置に保持される。アーム保持手段４１は、錠ケース１０の対向側板１０ａに両端部が支持された第２固定軸４２によって長さ方向の中央部が支持された保持レバー４３の上端部をソレノイド４４のプランジャ４５に取り付けられたスライドピース４６のストッパ片４７に係合し、その保持レバー４３の下端部にロックアーム３６の第２延出部３６ｂの上端部に設けられたピン４８を当接させて、ロックアーム３６を解錠位置に保持するようにしている。
【００３７】
上記アーム保持手段４１において、ソレノイド４４に通電してプランジャ４５を後退させると、ストッパ片４７の後退動により保持レバー４３の上端とストッパ片４７間に間隔が形成されてロックアーム３６の保持が解除され、キックばね４０の弾性によってロックアーム３６が施錠位置に向けて揺動する。
【００３８】
図１に示す内アーム２６のラッチ１５を没入させる方向の揺動運動は内運動変換機構５０によってロックアーム３６の解錠方向への揺動運動に変換される。また、外アーム２７のラッチ１５を没入させる方向の揺動運動は外運動変換機構５１によってロックアーム３６の解錠方向への揺動運動に変換される。
【００３９】
図１０に示すように、内運動変換機構５０は、内アーム２６の揺動に連動して順次に揺動する第１揺動アーム５２乃至第３揺動アーム５４からなる。第１揺動アーム５２は、錠ケース１０の対向側板１０ａに両端部が支持された第３固定軸５５を中心にして揺動自在に支持され、上記内アーム２６が戸尻側に向けて揺動した際に、その内アーム２６の揺動側端部で下端部が押されて同図の反時計方向に揺動するようになっている。
【００４０】
また、第２揺動アーム５３は、錠ケース１０の対向側板１０ａに両端部が支持された前述のガイドピン３９を中心にして揺動自在に支持され、上記第１揺動アーム５２が反時計方向に揺動した際に、その第１揺動アーム５２で押されてガイドピン３９を中心に時計方向に揺動するようになっている。
【００４１】
さらに、第３揺動アーム５４は、アンチパニック設定用スライダ６０ａの下端部に設けられたピン６１を中心にして揺動自在に支持され、上記第３揺動アーム５４がトルク伝達経路に配置される状態において、上記第２揺動アーム５３が時計方向に揺動した際に、その第２揺動アーム５３で一端部が押されて反時計方向に揺動し、他端部でロックアーム３６に設けられたピン５８を押圧して、ロックアーム３６を解錠方向へ揺動させるようになっている。
【００４２】
外運動変換機構５１は、内運動変換機構５０と同一の構成とされて、図１に示す状態で前後に重なる対称の配置とされているため、ここでは、内運動変換機構５０と同一の部品については同一の符号を付して説明を省略する。
【００４３】
なお、外運動変換機構５１における第３揺動アーム５４は、図６に示すように、アンチパニック設定用スライダ６０ｂの下端部に設けられたピン６１を中心にして揺動自在に支持されている。
【００４４】
また、内運動変換機構５０および外運動変換機構５１における第３揺動アーム５４は、図１０に示すように、アンチパニック設定用スライダ６０ａ、６０ｂと対向する面に凹部６２が形成され、一方、スライダ６０ａ、６０ｂにはその凹部６２内に挿入されるピン６３が設けられ、そのピン６３に対する凹部６２の上壁の当接によって第３揺動アーム５４は、他端部が下を向く姿勢に保持される。
【００４５】
実施の形態においては、内運動変換機構５０および外運動変換機構５１の揺動アームの数を３つとしているが、３つを超える数としてもよい。
【００４６】
図１、図３および図６に示すように、アンチパニック設定用スライダ６０ａ、６０ｂは、フロントプレート１１の内面に固定されたロッドガイド６４と錠ケース１０の対向側板１０ａに固定された支持枠６５の縦板部６６の対向部間に配置されている。
【００４７】
ロッドガイド６４および支持枠６５の縦板部６６には軸挿入孔６７、６８が形成され、その軸挿入孔６７、６８に切換えロッド７０の両端部が挿入されて回転自在に支持されている。
【００４８】
切換えロッド７０の頭部７０ａは、フロントプレート１１に形成されたロッド挿入孔７１に挿入され、フロントカバー１３を取り外すことにより、その頭部７０ａに形成されたマイナス溝７０ｂが外部に露出し、そのマイナス溝７０ｂに係合されるドライバによって切換えロッド７０が回動操作される。
【００４９】
アンチパニック設定用スライダ６０ａ、６０ｂには、互いに重なり合う衝合面に半円形のロッド挿入孔７２が形成され、そのロッド挿入孔７２に切換えロッド７０が挿入されている。
【００５０】
アンチパニック設定用スライダ６０ａ、６０ｂのそれぞれは切換えロッド７０に沿って個別にスライド自在とされ、そのスライダ６０ａ、６０ｂのスライドによって第３揺動アーム５４がトルク伝達経路に抜き差し自在とされる。また、アンチパニック設定用スライダ６０ａ、６０ｂのそれぞれは、支持枠６５の縦板部６６との間に組み込まれた弾性部材７３によってロッドガイド６４に向けて付勢されている。
【００５１】
図６および図１３に示すように、切換えロッド７０とスライダ６０ａ、６０ｂの相互間には、切換えロッド７０の回転により、第３揺動アーム５４がトルク伝達経路上に配置される位置までスライダ６０ａ、６０ｂを個別にスライドさせるカム機構８０が設けられている。
【００５２】
カム機構８０は、切換えロッド７０の外周面にカム突起８１を設け、一対のスライダ６０ａ、６０ｂには、ロッド挿入孔７２の開口端部に上記カム突起８１が挿入される円形凹部８２を設け、その円形凹部８２の軸方向端面における上部に円形凹部８２の深さを一定とする低段側平坦面８３と、その低段側平坦面８３の端部に連なって円形凹部８２の深さを次第に浅くする傾斜面８４と、その傾斜面８４の端部に高段側平坦面８５とを設けた構成としている。
【００５３】
ここで、第３揺動アーム５４が、図１に示すように、トルク伝達位置から抜け出すスライダ６０ａ、６０ｂの停止位置が設定解除位置であり、その一対のスライダ６０ａ、６０ｂのそれぞれが設定解除位置に配置される状態で、カム突起８１は一対のスライダ６０ａ、６０ｂの低段側平坦面８３に跨る位置で停止している。
【００５４】
図６に示すように、ロッドガイド６４のフロントプレート１１と対向する面には軸挿入孔６７の上側にガイド孔９０が形成され、そのガイド孔９０に対して抜き差し自在とされた支持ピン９１に回り止めリング９２が設けられている。
【００５５】
回り止めリング９２の内周には回り止め突起９３が設けられ、一方、切換えロッド７０における頭部７０ａの外周には上記回り止め突起９３が係合可能な３つの切欠部９４が周方向に等間隔に設けられ、その３つの切欠部９４の一つを回り止め突起９３に係合させることによって、一対のスライダ６０ａ、６０ｂは設定解除位置、設定位置のいずれかの位置で回り止めされる。
【００５６】
図１に示すように、ソレノイド４４の下側において、保持レバー４３の戸尻側には円筒状の軸受部材１００が設けられ、その軸受部材１００によって駆動ギヤ１０１が回転自在に支持されている。
【００５７】
駆動ギヤ１０１は、図２に示すシリンダ１０２のキーによる回動操作およびサムターン１０３による回動操作によって屋内・外から回動操作される。この駆動ギヤ１０１の回転は、その駆動ギヤ１０１に噛合する従動ギヤ１０４に伝達される。
【００５８】
図１２に示すように、従動ギヤ１０４は支持片１０５を有し、その支持片１０５の端部にピン１０６が設けられ、そのピン１０６は従動ギヤ１０４の回転時にロックアーム３６のレバー片３６ｃを押圧してロックアーム３６を解錠位置に向けて揺動させるようになっている。
【００５９】
図９および図１２に示すように、従動ギヤ１０４の戸尻側には、スイングアーム１０７が設けられている。スイングアーム１０７は錠ケース１０の対向側板１０ａによって両端部が支持されたピン１０８により上部が揺動自在に支持されて下端部がラッチ軸１７の軸端部と軸方向で対向している。
【００６０】
スイングアーム１０７は、ピン１０８に支持されたキックばね１０９によって従動ギヤ１０４に向けて付勢され、従動ギヤ１０４のピン１０６がロックアーム３６のレバー片３６ｃを押圧してロックアーム３６が解錠位置に配置されると、従動ギヤ１０４の外周に設けられた係合片１１０がスイングアーム１０７に形成された係合孔１１１に係合して、従動ギヤ１０４を停止保持するようになっている。
【００６１】
実施の形態で示すアンチパニック式電気錠は上記の構造からなり、図１は、一対のアンチパニック設定用スライダ６０ａ、６０ｂのそれぞれが、設定解除位置に配置された状態を示し、内運動変換機構５０および外運動変換機構５１を形成する第３揺動アーム５４がトルク伝達経路から退避する位置に配置されている。
【００６２】
このため、室内側把手５および室外側把手７を操作しても、第３揺動アーム５４は揺動せず、ロックアーム３６を揺動させることはできない。
【００６３】
また、室内側把手５と室外側把手７のいずれか一方を操作すると、内アーム２６と外アーム２７の一方が揺動し、そのアーム２６、２７の一方のアーム２６、２７の端部がラッチガイド３１の戸尻側の折曲げ片３２ｂを押圧する。その押圧によりラッチガイド３１が後退動し、ラッチ１５が没入して、ラッチ係合孔３に対する係合が解除し、扉２を開放状態とすることができる。
【００６４】
図１に示すように、電気錠が室内側から見て扉２の左側の戸先側に取り付けられている場合においては、室内側把手５により動作する内運動変換機構５０をアンチパニック状態に設定する。
【００６５】
アンチパニック状態の設定に際しては、扉２を開放状態とし、フロントカバー１３を取り外して切換えロッド７０の頭部７０ａを外部に露出させ、マイナス溝７０ｂに係合するドライバの回転操作により切換えロッド７０の頭部７０ａを正面視する状態で右方向に回転させる。この場合、回り止めリング９２を引き抜くことによって切換えロッド７０の回り止めをあらかじめ解除しておく。
【００６６】
切換えロッド７０の回転により、その切換えロッド７０の外周に設けられたカム突起８１が図６に示す一対のスライダ６０ａ、６０ｂのうち、室内側に配置されたスライダ６０ａの傾斜面８４に沿って回転して図１３に示すように、高段側平坦面８５に至り、上記カム突起８１の回転による押圧作用により、室内側スライダ６０ａが図１０に示すように、設定位置に配置され、第３揺動アームがトルク伝達経路に配置されて、内運動変換機構５０が解錠可能なアンチパニック状態に設定される。
【００６７】
上記のように、室内側把手５により動作する内運動変換機構５０をアンチパニック状態に設定した状態で、図６に示す回り止めリング９２を切換えロッド７０の頭部７０ａに嵌合して切換えロッド７０を回り止めし、フロントカバー１３の取り付け後、扉２を閉鎖すると、制御装置からの制御信号によりソレノイド４４に通電され、アーム保持手段４１の保持レバー４３が、図９に示すように、ロックアーム３６の保持を解除し、弾性部材４０の弾性力により、ロックアーム３６が施錠位置に向けて揺動してラッチ１５の後退動を阻止する施錠状態となる。
【００６８】
図８は、ソレノイド４４の作動によりラッチ１５の後退動を阻止する施錠状態を示す。このとき、外運動変換機構５１における第３揺動アーム５４は、図１０に示すように、トルク伝達経路から退避された状態にあるため、室外側把手７を操作してもラッチ１５は後退せず扉２は施錠状態に保持される。
【００６９】
一方、内運動変換機構５０における第３揺動アーム５４はトルク伝達経路上に配置された状態にあるため、室内側把手５を操作すると、内駆動カム２０の回転により内アーム２６が揺動し、第１揺動アーム５２乃至第３揺動アーム５４が順次揺動して、第３揺動アーム５４の揺動によりロックアーム３６が解錠方向に揺動し、ラッチ１５の後退動を許容する状態となる。その状態から内アーム２６がさらに同方向に揺動すると、その内アーム２６の端部がラッチガイド３１の戸尻側折曲げ片３２ｂを押圧するため、図１２に示すように、ラッチ１５が没入し、扉２を開放させることができる。
【００７０】
内運動変換機構５０のアンチパニック状態の設定状態において、切換えロッド７０を左回転させると、カム突起８１が室内側スライダ６０ａの押圧を解除するため、その室内側スライダ６０ａは、弾性部材７３の弾性によって設定解除位置に戻り、内運動変換機構５０はアンチパニックの設定が解除される。切換えロッド７０をさらに左回転させると、カム突起８１が傾斜面８４を押圧する作用によって室外側スライダ６０ｂが設定位置に移動し、外運動変換機構５１がアンチパニック状態に設定される。
【００７１】
このように、切換えロッド７０を回転させる簡単な操作によって室内側把手５により動作する内運動変換機構５０と室外側把手７により動作する外運動変換機構５１を選択的に切り換えてアンチパニック状態に設定することができると共に、設定の切り換えを行う一対のスライダ６０ａ、６０ｂのそれぞれがカム機構８０により設定位置に向けて押圧移動され、弾性部材７３により設定解除位置に戻されるため、設定の切り換えを確実に行うことができる。
【００７２】
なお、内運動変換機構５０と外運動変換機構５１の一方がアンチパニック状態に設定される状態において、シリンダ１０２に操作キーを差し込んで回動し、あるいは、サムターン１０３を回動すると、駆動ギヤ１０１および従動ギヤ１０４が回転し、その従動ギヤ１０４の支持片１０５に設けられたピン１０６がロックアーム３６のレバー片３６ｃを押圧するため、ロックアーム３６が解錠位置に向けて揺動し、電気錠は解錠状態とされる。
【００７３】
図１に示すように、内アーム２６および外アーム２７の回転によりセクタギヤ２９を介して従動ギヤ３０を回転し、その従動ギヤ３０の回転によりばね受け３０ａを後退動させてコイルばね３０ｂを収縮させる構成において、内駆動カム２０および外駆動カム２１のカム突部２０ａの他端で上記ばね受け３０ａをコイルばね３０ｂが収縮する方向に押圧移動させることができるように構成すると、内駆動カム２０および外駆動カム２１の一方向への回転により内アーム２６および外アーム２７をラッチ１５が後退動する解錠方向に揺動させることができると共に、内駆動カム２０および外駆動カム２１の他方向への回転は、従動ギヤ３０を介して内アーム２６および外アーム２７に伝達して、その内アーム２６および外アーム２７を解錠方向に揺動させることができる。
【００７４】
その結果、把手がレバーからなる場合において、そのレバーの上げ下げによって解錠操作することができ、また、把手として握り玉を採用する場合において、その握り玉を正逆いずれの方向に回転しても解錠操作することができる。
【符号の説明】
【００７５】
５    室外側把手
７    室外側把手
１０  錠ケース
１１  フロントプレート
１４  ラッチ挿入孔
１５  ラッチ
１６  頭部
２０  内駆動カム
２１  外駆動カム
２６  内アーム
２７  外アーム
３６  ロックアーム
３６ａ  延出部
４０  キックばね（弾性部材）
４１  アーム保持手段
４４  ソレノイド
Ａ１  内後退動手段
Ａ２  外後退動手段
５０  内運動変換機構
５１  外運動変換機構
５２  第１揺動アーム
５３  第２揺動アーム
５４  第３揺動アーム（最終段の揺動アーム）
６０ａ  アンチパニック設定用スライダ
６０ｂ  アンチパニック設定用スライダ
７０  切換えロッド
７０ａ  頭部
７２  ロッド挿入孔
７３  弾性部材
８０  カム機構
８１  カム突起
８２  円形凹部
８３  低段側平坦面
８４  傾斜面
８５  高段側平坦面
【図１】
2015036471.tif 000003
【図２】
2015036471.tif 000004
【図３】
2015036471.tif 000005
【図４】
2015036471.tif 000006
【図５】
2015036471.tif 000007
【図６】
2015036471.tif 000008
【図７】
2015036471.tif 000009
【図８】
2015036471.tif 000010
【図９】
2015036471.tif 000011
【図１０】
2015036471.tif 000012
【図１１】
2015036471.tif 000013
【図１２】
2015036471.tif 000014
【図１３】
2015036471.tif 000015